(57)【要約】      （修正有）【課題】蓋から洗濯機の内部への侵入による事故を防止できる。【解決手段】洗濯機の操作部３と制御手段４と蓋ロック機構５との間を電気的に接続し、操作部３と蓋ロック機構５との間を連動させ、操作部３における電源の投入操作、スタ−ト開始操作等の操作が行われている時には蓋ロック機構５により蓋１をロック状態にしてなり、一方、電源の切断操作、スタ−トからの停止操作等の操作が行われていない時には蓋ロック機構５による蓋１をロックしない状態にしてなる洗濯機。人検知センサ−を洗濯機に取付け警報を出力するようにしてもよく、両者を併用するとなおよい。【選択図】図１
2017023453.tif 000002
【特許請求の範囲】
【請求項１】
洗濯機の操作部と制御手段と蓋ロック機構との間を電気的に接続し、当該操作部と当該蓋ロック機構との間を連動させ、当該操作部における電源の投入操作、スタ−ト開始操作又はその他の操作部における選択された操作が行われている時には当該蓋ロック機構により蓋をロック状態にしてなり、一方、電源の切断操作、スタ−トからの停止操作又はその他の操作部における選択された操作が行われていない時には当該蓋ロック機構による蓋をロックしない状態にしてなることを特徴とする蓋から洗濯機の内部への侵入による事故を防止できるようにしてなる洗濯機。
【請求項２】
子供等の人の蓋から洗濯機内部への侵入があった時に、当該侵入を検知できる人検知センサ−を洗濯機に取付けると共に、操作部の操作パネルに、当該侵入があったことを知らせるアラ−ム音・音声、アラ−ム表示及び（又は）アラ−ムランプの点滅・点灯からなる警報を出力するようにしてなることを特徴とする蓋から洗濯機の内部への侵入による事故を防止できるようにしてなる洗濯機。
【発明の詳細な説明】
【技術分野】
【０００１】
本発明は、蓋から洗濯機の内部への侵入による事故を防止できるようにしてなる洗濯機に関するものである。
【背景技術】
【０００２】
近時、幼児が、図１及び図１２に一例を示すようなドラム式洗濯乾燥機Ｗ１の中に閉じ込められて死亡した事件があり、当該ドラム式洗濯乾燥機Ｗ１は、縦型の洗濯機とは異なり横向きにドア１が取り付けられていて、子供が入り易い構造となっていて、又、当該ドラム式洗濯乾燥機Ｗ１では、蓋（ドア）１が閉まると内側からは開けられない構造となっていて、密閉された洗濯槽２の空間内で窒息死したものと考えられている。事故は夜間に親が目を離した隙に、子供が誤って洗濯（乾燥）機の中に入ってしまい、子供は洗濯機の中に入ると強い力をかけても出られず、呼吸ができなくなって死亡したとされている。
洗濯機製造メ−カ−は、 安全対策として、子供が中に入らないようにドアロック機能を付けているほか、本体や取扱説明書に 「子供が入ると窒息するおそれがある」と表示して注意を呼びかけているということであるが、上記のような事故が起こっており、安全対策の決め手を欠いているのが現状である。
事故は、ドラム式洗濯乾燥機Ｗ１において起こったが、図５に示すような上記した縦型の洗濯機Ｗ２でも起こり得ない話ではない。当該縦型の洗濯機Ｗ２は、当該ドラム式洗濯乾燥機Ｗ１とは異なり、図５に示すように、蓋１が上部にあるので、横開きの当該ドラム式洗濯乾燥機Ｗ１に比較して事故は少ないかも知れないが、幼児が洗濯機を覗いたり、よじ登ったりして誤って洗濯機内部に落下する事故が起こり得るとも考えられる。又、当該縦型の洗濯機Ｗ２や当該ドラム式洗濯乾燥機Ｗ１では、当該蓋には、ロック機構を備えいて（例えば、特許文献１参照）、当該蓋ロック機構は、すすぎ以降の段階では自動ロックが掛かるが、一方、運転中には、蓋ロックを解除出来たり、電源を入れると蓋ロックを解除出来たりするが、それは、洗濯機の外部から人が操作することが必要となっている。又、電源の切断や洗濯終了停止やすすぎ段階以降のコ−ス選択による洗濯後と蓋ロック機構とが連動していず、安全対策上の決め手を欠いているのが現状である。更に、操作パネルには、チャイルドロックが設けられていて、子供が勝手に蓋を開けて洗濯・脱水槽内に閉じ込められるのを防止するようにしているが、そのロック操作は、操作パネルにおける当該チャイルドロックのボタンを押してロックをかけたり、又は、ボタンを押してロックを解除したりする必要があり、この場合も、洗濯機の外部から人が操作することが必要となっていて、洗濯機内部から操作できる訳ではない。その為、上記のドラム式洗濯乾燥機で起きた事故のように、親が、子供が夜間眠っているものとばかり思っていたところ、案に相違して、子供がいないと気づいて探したところ、既に、子供が洗濯機の内部に落ち込んでいて、慌てて洗濯機内部から外部に引き上げても手遅れになることもあると考えられる。人が上記のような人為的な操作をしなくて済み、又、早く気づき知らせてくれれば、事故の可能性は少なくなる。
【０００３】
【特許文献１】特開平１０−２７２２９３号公報
【発明の概要】
【発明が解決しようとする課題】
【０００４】
本発明は、上記従来技術の有する欠点を解消しつつ新規な技術を提供することを目的としたものである。
本発明の他の目的や新規な特徴については本件明細書及び図面の記載からも明らかになるであろう。
【課題を解決するための手段】
【０００５】
本発明は、請求項１に記載のように、蓋から洗濯機の内部への侵入による事故を防止できるようにしてなる洗濯機に係るもので、洗濯機の操作部と制御手段と蓋ロック機構との間を電気的に接続し、当該操作部と当該蓋ロック機構との間を連動させ、当該操作部における電源の投入操作、スタ−ト開始操作又はその他の操作部における選択された操作が行われている時には当該蓋ロック機構により蓋をロック状態にしてなり、一方、電源の切断操作、スタ−トからの停止操作又はその他の操作部における選択された操作が行われていない時には当該蓋ロック機構による蓋をロックしない状態にしてなることを特徴とする。
本発明は、又、請求項２に記載のように、同様に、蓋から洗濯機の内部への侵入による事故を防止できるようにしてなる洗濯機に係るもので、子供等の人の蓋から洗濯機内部への侵入があった時に、当該侵入を検知できる人検知センサ−を洗濯機に取付けると共に、操作部の操作パネルに、当該侵入があったことを知らせるアラ−ム音・音声、アラ−ム表示及び（又は）アラ−ムランプの点滅・点灯からなる警報を出力するようにしてなることを特徴とする。
【発明の効果】
【０００６】
本発明によれば、（１）電気的な電源投入  蓋ロック（閉）に対して電源切断  蓋ロック解除（開）、（２）スタ-ト開始  蓋ロック（閉）に対して停止  蓋ロック解除（開）、又、例えば、（３）コ-ス選択  蓋ロック（閉）に対してコ-ス選択による洗濯終了  蓋ロック解除（開）との例えば（１）電源入・切断、（２）スタ-ト開始・終了、又、（３）コ−ス選択・終了等と蓋ロック機構との連動により、特別の装置を要しないで、蓋から洗濯機の内部への侵入による事故を少ない費用で確実性をもって少なくすることができる。
又、本発明によれば、親が、子供が夜間眠っているものとばかり思っていたところ、夜間等に、警報ブザ-が鳴るなどして、子供が洗濯機内部に閉じ込められていることが判り、事故があったことを警報なりで知らせてくれるので早く事故に気づき、子供を早く助け上げることができ、子供を窒息死から救助することができる。子供が洗濯機の内部に落ち込んでいて、慌てて洗濯機内部から外部に引き上げても手遅れになる場合が少なくなる。
子供が洗濯機の内部に落ち込み、助けを求めようとして何か内部から操作しようとしても、その操作は難しい。上記のような人検知センサ−（以下、当該検知センサ−をチャイルドセンサ−と称する場合もある。）の稼働や警報アラ−ムにより、子供は洗濯機内部から操作しなくて済む。
当該警報アラ−ムで、親は子供が洗濯槽内部にいることが判るので、チャイルドロックの解除や電源の投入等の外部操作をして洗濯機内部の確認の必要性がなく、当該外部操作を省略できる。
【図面の簡単な説明】
【０００７】
【図１】本発明の実施例を示すドラム式洗濯乾燥機の要部略示断面図
【図２】本発明の実施例を示す洗濯機の操作部と制御手段と蓋ロック機構との間の関係を示すブロック図
【図３】蓋ロック機構の一例構成図
【図４】本発明の実施例を示すフロ−チャ−ト図
【図５】本発明の実施例を示す縦型洗濯乾燥機の外観構成図
【図６】本発明の実施例を示すチャイルドセンサ−設置のブロック図
【図７】本発明の実施例を示すチャイルドセンサ−によるアラ−ム機能を備えた洗濯機の主要回路図である。
【図８】本発明の実施例を示す再生／録音回路の回路図である。
【図９】本発明の実施例を示すタイミングチャ−ト図である。
【図１０】本発明の実施例を示すチャイルドセンサ−設置のフロ−チャ−ト図
【図１１】本発明の実施例を示すチャイルドセンサ−設置の洗濯機の外観図
【図１２】ドラム式洗濯乾燥機の一例外観図
【発明を実施するための最良の形態】
【０００８】
次に、本発明の実施例を図面を参照しつつ説明する。
【実施例】
【０００９】
実施例
本発明によるドラム式洗濯乾燥機Ｗ１は、図１に示すように、洗濯機の操作部３と制御手段４と蓋ロック機構５との間を電気的に接続し、当該操作部３と当該蓋ロック機構５との間を連動させ、当該操作部３における電源の投入操作、スタ−ト開始操作又はその他の操作部３における選択された操作が行われている時には当該蓋ロック機構５により蓋をロック状態にしてなり、一方、電源の切断操作、スタ−トからの停止操作又はその他の操作部３における選択された操作が行われていない時には当該蓋ロック機構５による蓋をロックしない状態にしてなることを特徴とする。
【００１０】
当該ドラム式洗濯乾燥機Ｗ１は、図１に示すように、回転ドラム６を外槽内に回転自在に配設し、当該回転ドラム６の回転中心に回転軸７の一端を固定し、当該回転ドラム６を、モ−タ８で回転駆動するようになっている。
【００１１】
機器本体の上部には、操作部３が設けられており、当該操作部３は、例えば、図２に例示するような操作パネル３００により構成され、当該操作パネル３００は、例えば、一般に、機械式の操作ボタンである機械式ボタン及びタッチセンサを有するタッチセンサ式ボタンを有して構成されている。
当該機械式ボタン及びタッチセンサ式ボタンはそれぞれ複数設けられている。
当該機械式ボタンは、所謂タクトキ−であり、機械式接点スイッチ又はマグネットスイッチ等のスイッチ回路（図示せず）を有し、操作（押下）された場合にスイッチ回路をオン（接続）し、操作（押下）されていない場合にスイッチ回路をオフ（非接続）する。
当該スイッチ回路は、入出力インタ-フェイス（入力キ-回路）３０１に接続されており、機械式ボタンが操作された場合、入出力インタ-フェイス３０１に通知する。
タッチセンサ式ボタンは、例えば静電容量方式のタッチセンサを有してなる。当該タッチセンサは、静電容量の変化に基づいて、タッチセンサ式ボタンが操作されたか否かを判断する。タッチセンサも、入出力インタ-フェイス（入力キ−回路）３０１に接続されており、タッチセンサ式ボタンが操作された場合、入出力インタ−フェイス３０１に通知する。
当該操作部３の操作パネル３００における機械式ボタン及びタッチセンサ式ボタンは、例えば、電源の投入操作をつかさどる電源入／切ボタン、スタ−ト・停止操作をつかさどるスタ−ト・停止ボタン、及び、その他の操作ボタンにより構成され、当該その他の操作ボタンの例には、コ-ス洗濯ボタン（運転内容を設定するためのボタン）、予約ボタンなどが挙げられ、蓋ロック開閉ボタン、チャイルドロックボタン等も設けられている。
操作パネル３００には、操作補助のための表示、運転状態の表示等の各種の表示を行う表示領域３０００が設けられている。当該表示領域３０００の例には、水位を示す表示、行程を示す表示等がある。図示していないが、蓋がロックされている場合に表示される「ドアロック」の表示領域、又、洗いボタン、すすぎボタン、脱水ボタン及び乾燥ボタンの近傍に、それぞれの動作（運転内容）が選択されている場合に表示される「洗い」、「すすぎ」、「脱水」、「乾燥」の各表示領域もある。
【００１２】
当該操作部３の下部には、当該入出力インタ-フェイス（入力キ-回路）３０１を介して制御手段４が設けられている。当該制御手段４には、当該入力キ-回路３０１を介してデ-タが送出されてくる、操作部３のボタンが操作された場合、入出力インタ-フェイス３０１に通知され、当該制御手段４のＣＰＵには、当該入力キ-回路３０１を介して、当該操作部３のボタンが操作されたことを検知できる。
当該制御手段４は、ＣＰＵ（Ｃｅｎｔｒａｌ  Ｐｒｏｃｅｓｓｉｎｇ  Ｕｎｉｔ）４００、ＲＯＭ（Ｒｅａｄ  Ｏｎｌｙ  Ｍｅｍｏｒｙ）４０１、ＲＡＭ（Ｒａｎｄｏｍ  Ａｃｃｅｓｓ  Ｍｅｍｏｒｙ）４０２及び入出力インタ−フェイス（Ｉ／Ｏ）４０３をバスで接続してなるコンピュ-タである。
当該制御手段４のＣＰＵは、制御部４０００と演算部４００１とから構成されている。当該ＣＰＵ４００は、操作パネル３００を介して操作された内容に従ってＲＯＭ４０１に格納された制御プログラムを実行し、駆動回路９を介して、洗濯機Ｗ１のドラムモ-タ８、図示していないが給水弁、排水弁、送風ファン等に動作指令を与え、洗濯運転及び乾燥運転、更にはすすぎ運転及び脱水運転を実行する。又、次記する、蓋（扉）ロック機構５を作動させる。
【００１３】
当該操作部３の下部には、蓋（扉）ロック機構５が設けられている。当該蓋（扉）ロック機構５の一例は、図３に一例を示すように、ドア１を閉じたときに、ドア１のフック１００が係合することで、ドアスイッチ１０１の摺動部材１０２を摺動移動させ、この摺動部材１０２の移動で、スイッチ手段（図示せず）を通電制御し、このスイッチ手段の通電動作によりソレノイド（図示せず）を動作させ、ソレノイドの動作によりフック１００が外れない状態に保持手段（図示せず）により摺動部材１０２を保持して、蓋ロックを行うものである。
【００１４】
図２に示すように、 蓋ロック機構５に関連して蓋ロック検知器１０が設けられている。当該蓋ロック検知器１０は、蓋（扉）ロック機構５により蓋が閉じられているか否かを検知し、蓋開閉状態の確認・検知に寄与する。
【００１５】
図４に、本発明の一例フロ−チャ−ト図を示す。
洗濯前の水栓の開き、洗濯物の投入、洗剤投入等の準備作業（ステップＳ１）が整ったら、操作部３のスタ-トボタンを押し（ステップＳ２）、洗濯を開始（スタ-ト開始）するのであるが、洗濯中は蓋１が開かれないようにする為に、蓋ロック機構５により蓋１が閉じられているか否かを検知し（ステップＳ３）、蓋ロック機構５により蓋１が閉じられていないときには、蓋１を閉じ（ステップＳ４）、蓋１が閉じられていれば、洗濯を開始する（ステップＳ５）。洗濯終了で（ステップＳ６）、本体電源をＯＦＦ（切断）し（ステップＳ７）、蓋ロック機構５をＯＦＦして、蓋ロックを開き（ステップＳ８）、蓋開閉状態を確認・検知（ステップＳ９）し、特に、蓋ロックがされていないのを確認・検知して蓋ロックがされていないた状態におき、蓋１から洗濯機内部への侵入が、仮にあっても、蓋１を開くことができるようにしておく。
上記のように、当該操作部３と当該蓋ロック機構５との間を連動させ、当該操作部３におけるスタ−トが行われていない時には当該蓋ロック機構５を作動させずに蓋１をロックしない状態にし、一方、同様に、当該操作部３と当該蓋ロック機構５との間を連動により、当該操作部３におけるスタ−トにより当該蓋ロック機構５を作動させ蓋１をロックするようにする。本発明では、当該スタ−ト操作と当該当該蓋ロック機構５との連動に加えて、電源の投入操作と当該蓋ロック機構５との連動を図り、更には、その他の操作例えば前記コ−スボタンと当該当該蓋ロック機構５との連動を図り、蓋１から洗濯機の内部への侵入による事故を防止できるようにする。
図示のように、本発明のフロ−は、（１）電源投入  蓋ロック（閉）に対して電源切断  蓋ロック解除（開）、（２）スタ−ト開始  蓋ロック（閉）に対して停止  蓋ロック解除（開）、又、例えば、（３）コ−ス選択  蓋ロック（閉）に対してコ−ス選択による洗濯終了  蓋ロック解除（開）の関係にある。
【００１６】
上記した発明は、電気的な電源投入  蓋ロック（閉）に対して電源切断  蓋ロック解除（開）、スタ−ト開始  蓋ロック（閉）に対して停止  蓋ロック解除（開）、又、例えば、コ−ス選択  蓋ロック（閉）に対してコ−ス選択による洗濯終了  蓋ロック解除（開）との電源入・切断等と蓋ロック機構５との連動により、特別の装置を要しないで、蓋から洗濯機の内部への侵入による事故を少ない費用で確実性をもって少なくすることができる。
【００１７】
次に、本発明の他の発明・実施態様について説明する。当該発明・実施態様は、上記と同様に、少ない費用で済み、前記した、親が、子供が夜間眠っているものとばかり思っていたところ、案に相違して、子供がいないと気づいて探したところ、既に、子供が洗濯機の内部に落ち込んでいて、慌てて各種の外部からの操作をして洗濯機内部から外部に引き上げても手遅れになる場合に、子供が洗濯機内部から操作しなくて済み、又、親が人為的な操作をしなくて済み、又、事故があったことを警報なりで知らせてくれるので早く事故に気づき、子供を助け上げることができるものである。
【００１８】
図５は、こうした他の発明・実施態様を示し、縦型洗濯機Ｗ２に、子供等の人の蓋から洗濯機内部への侵入があった時に、当該侵入を検知できる人検知センサ−を洗濯機に取付けると共に、操作部３の操作パネルに、当該侵入があったことを知らせるアラ−ム音・音声、アラ−ム表示及び（又は）アラ−ムランプの点滅・点灯からなる警報を出力するようにしてなることを特徴とする蓋から洗濯機の内部への侵入による事故を防止できるようにしてなる洗濯機を示したものである。
【００１９】
図５には、当該人検知センサ−１１を縦型洗濯機Ｗ２（洗濯機の水槽に水を溜めて、洗濯槽の底にある「パルセ−タ−（羽根）」を回転させることで渦巻き状の水流をつくり洗濯する方式の洗濯機）の蓋１の裏側に取付けた例を示す。
ここでは、当該人検知センサ−１１を縦型洗濯機Ｗ２の蓋１の裏側に取付けた例を示してあるが、洗濯機の他の位置でもよい。
当該人検知センサ−（検知器）１１は、子供等の人と洗濯物との区別ができる検知器であることが望ましい。特に、幼児は蓋から洗濯機内部へ侵入し易いので、幼児と洗濯物との区別がつくものが好ましい。
猫等の動物と洗濯物との区別ができるチャイルドセンサ−１１であることも望ましい。
【００２０】
図６に示すように、子供等の人の蓋から洗濯機内部への侵入があった時に、チャイルドセンサ−１１が反応し、検知し、人であるか否かが制御手段４で判別され、人であることが確認・認識されると、駆動回路１０を経て、操作部３の操作パネル３００の表示部３０００に、当該侵入があったことを知らせる警報（アラ−ム）が出力されるようになっている。
【００２１】
当該警報（アラ−ム）の例は、アラ−ム音、アラ−ム表示及び（又は）アラ−ムランプの点滅・点灯による。
図７は、当該アラ−ム機能の一部回路図の一例で、子供等の人の蓋から洗濯機内部への侵入があった時に、チャイルドセンサ−１１が反応し、検知し、人であるか否かが前記のように制御手段４で判別され、人であることが確認されると、前記駆動回路１０における電磁力によって接点を開閉する継電器１２のスイッチが入って、タイマ−回路１３を作動させ、再生／録音回路１４から再生のアラ−ム音（音声）が、操作部３のスピ−カＳに送出されるようになっている。
又、図６及び図７に示すように、当該再生／録音回路１４から操作部３の表示部３０００に、上記のような文言のメッセ−ジＭが出力されてアラ−ム表示が行われる。
同時に、当該再生／録音回路１４から操作部３のランプＬに、ランプ点滅・点灯の為のアラ−ム信号が出力されて、アラ−ムランプＬが点滅又は点灯（例えば青色点滅又は点灯）するようになっている。
【００２２】
図８は、当該再生／録音回路１４の回路図の一例で、記憶素子（ＲＡＭ）１４００には、上記したような音声が記録されている。又、その旨のメッセ−ジ及びランプ点滅・点灯の為のアラ−ム信号が、当該記憶素子（ＲＡＭ）１４００に記録されている。
再生・録音機構から再生側の接点１４０３ａにスィッチが入ると、電流が抵抗１４０１、パワ−アンプ１４０２、接点１４０３ｂに送られ、スピ−カＳにて上記音声がアナウンスされる。
一方、当該音声の再生と同時に、当該記憶素子（ＲＡＭ）１４００に記録されたその旨のメッセ−ジ及びランプ点滅・点灯の為のアラ−ム信号が、当該記憶素子（ＲＡＭ）１４００から送出され、操作部３のディスプレイ３０００に、上記のような文言のメッセ-ジＭが出力されてアラ−ムメッセ-ジ表示が行われ、同時に、操作部３のランプＬに、ランプ点滅・点灯の為のアラ−ム信号が出力されて、アラ−ムランプＬが点滅又は点灯するようになっている。
【００２３】
図９は、上記操作のタイミングチャ-ト図で、子供等の人の蓋から洗濯機内部への侵入があった時に、チャイルドセンサ−１１が反応し、検知し、人であるか否かが制御手段４で判別され、人であることが確認されると、駆動回路１０を経て、アラ−ム音声の再生Ｓ、アラ−ム表示Ｍ、及びランプ点滅及び（又は）点灯Ｌの少なくとも一つが始まり、タイマ−回路１３と連動して、何秒かのタイマ−回路１３による制御で、当該アラ−ム音声の再生、アラ−ムメッセ−ジ表示、及びランプ点滅及び（又は）点灯の少なくとも一つが行われ、一定時間の到達後、当該再生、メッセ−ジ表示、及びランプ点滅及び（又は）表示の少なくとも一つが終了するようになっている。
【００２４】
図１０に、本発明の上記チャイルドセンサ−を用いた洗濯機の一例フロ−チャ−ト図を示す。
前記のように、洗濯終了後は、蓋ロックがされていず、同時に、チャイルドセンサ−が稼働している（ステップＳ１）。蓋から洗濯機内部への侵入があった時に（ステップＳ２）、洗濯機内部に子供が入っていないか否かを判別し（ステップＳ３）、子供ではない、洗濯物であるときには（ステップＳ４）、終了する。子供が侵入している時は、例えば警報ブザ−を鳴らしたり（ステップＳ５）、警報を表示し（ステップＳ６）、子供の救助（ステップＳ７）により終了する。
【００２５】
親が、子供が夜間眠っているものとばかり思っていたところ、夜間等に、警報ブザ−が鳴るなどして、子供が洗濯機内部に閉じ込められていることが判り、事故があったことを警報なりで知らせてくれるので早く事故に気づき、早く子供を助け上げることができ、子供を窒息死から救助することができる。子供が洗濯機の内部に落ち込んでいて、慌てて洗濯機内部から外部に引き上げても手遅れになる場合が少なくなる。
子供が洗濯機の内部に落ち込み、助けを求めようとして何か内部から操作しようとしても、その操作は難しい。上記のようなチャイルドセンサ−の稼働や警報アラ−ムにより、子供は洗濯機内部から操作しなくて済む。
【００２６】
上記実施例は、縦型の洗濯機Ｗ２についての適用を例示したが、ドラム式洗濯乾燥機Ｗ１でも適用できる。
【００２７】
本発明は、洗濯機の操作部３と制御手段４と蓋ロック機構５との間を電気的に接続し、当該操作部３と当該蓋ロック機構５との間を連動させ、当該操作部３における電源の投入操作、スタ−ト開始操作又はその他の操作部３における選択された操作が行われている時には当該蓋ロック機構５により蓋をロック状態にしてなり、一方、電源の切断操作、スタ−トからの停止操作又はその他の操作部３における選択された操作が行われていない時には当該蓋ロック機構５による蓋をロックしない状態にしてなると共に、子供等の人の蓋から洗濯機内部への侵入があった時に、当該侵入を検知できる人検知センサ−を洗濯機に取付けると共に、操作部３の操作パネルに、当該侵入があったことを知らせるアラ−ム音・音声、アラ−ム表示及び（又は）アラ−ムランプの点滅・点灯からなる警報を出力するようにして、洗濯機を蓋から洗濯機の内部への侵入による事故を防止できるようにしてもよい。
【００２８】
本発明は上記実施例に限定されず、適宜変更が可能である。
上記実施例では、タイミングチャ-ト図で示すように、一定時間の到達後にアラ−ムが終了するようになっていて、警報アラ−ムは、自動終了するが、チャイルドセンサ−１１の稼働解除ボタンや警報アラ−ム解除ボタンを設けるようにしてもよい。
又、洗濯機に取付ける人検知センサ−（チャイルドセンサ−）１１の電源（電流）は、洗濯機からとるようにしてもよいが、事故が起こるのは、洗濯終了後の蓋ロックがされていず、洗濯停止の場合であるので、チャイルドセンサ−独自の電流の確保が好ましく、例えば、電源ＯＦＦであってもコンセントに接続されていれば稼働又は蓄電池や乾電池から電流をとるようにするとよい。
その際に、チャイルドセンサ−は取り外し可能とし、電池交換が可能なようにしておくとよい。
更に、チャイルドセンサ−１１の稼働や警報アラ−ムに加えて、それらに伴い、機械的に自動で蓋を持ち上げたり、機械的に自動で蓋を横に開いたりする機能を伴うようにしてもよい。
【産業上の利用可能性】
【００２９】
本発明は、ドラム式洗濯乾燥機及び縦型の洗濯機の他各種の洗濯機に適用できる。
【符号の説明】
【００３０】
１    蓋（扉）
２    洗濯槽
３    操作部
４    制御手段
５    蓋ロック機構
１１    人検知センサ−（チャイルドセンサ−）
Ｗ１    ドラム式洗濯機
Ｗ２  縦型洗濯機
【図１】
2017023453.tif 000003
【図２】
2017023453.tif 000004
【図３】
2017023453.tif 000005
【図４】
2017023453.tif 000006
【図５】
2017023453.tif 000007
【図６】
2017023453.tif 000008
【図７】
2017023453.tif 000009
【図８】
2017023453.tif 000010
【図９】
2017023453.tif 000011
【図１０】
2017023453.tif 000012
【図１１】
2017023453.tif 000013
【図１２】
2017023453.tif 000014